(57)【要約】【課題】  分岐銅帯と分岐開閉器および給電ブロックを積層して配置することで水平方向一列に分岐開閉器を配列することが可能で、さらに配列された分岐開閉器の列を垂直方向に所定間隔を空けて配列することで建物側および設備側に繋がる電気配線を効率的に配置し、キャビネット内に多数の分岐開閉器を配置した分電盤を提供すること。【解決手段】  本発明の分電盤１０は、主開閉器２と、前記主開閉器２の二次側に接続された母線導体４と、複数の分岐開閉器３と、これらを収納するキャビネット１を備えた分電盤１０において、前記分岐開閉器３は、前記母線導体４の配線箇所を挟んで前記キャビネットに対して水平方向左右に複数配列されていることを特徴とする。【選択図】  図１
2019092350.tif 000002
【特許請求の範囲】
【請求項１】
主開閉器と、前記主開閉器の二次側に接続された母線導体と、複数の分岐開閉器と、これらを収納するキャビネットを備えた分電盤において、前記分岐開閉器は、前記母線導体の配線箇所を挟んで前記キャビネットに対して水平方向左右に複数配列されていることを特徴とする分電盤。
【請求項２】
水平方向左右に略直線上に複数配列された前記分岐開閉器の列は前記キャビネットに対して垂直方向に所定間隔を空けて複数配列されていることを特徴とする請求項１記載の分電盤。
【請求項３】
前記分岐開閉器の列と列の間には、前記分岐開閉器の二次側に接続された建物側および設備側に繋がる電気配線が配置されていることを特徴とする請求項１または２記載の分電盤。
【請求項４】
前記母線導体は、可撓性を有する導体で形成されていることを特徴とする請求項１から３のいずれか一項記載の分電盤。
【請求項５】
前記分岐開閉器は、前記母線導体の配線箇所を挟んで前記キャビネットに対して水平方向の一方側に４個、他方側に６個配置されていることを特徴とする請求項１から４のいずれか一項記載の分電盤。
【請求項６】
前記分岐開閉器は、前記母線導体の配線箇所を挟んで前記キャビネットに対して水平方向の一方側に２個、他方側に８個配置されていることを特徴とする請求項１から４のいずれか一項記載の分電盤。
【請求項７】
前記分電盤は、さらに内部に分岐銅帯を有する分岐ユニットを備え、前記キャビネットの奥行方向に前記分岐ユニットと前記分岐開閉器を積層して配置することで、前記母線導体と前記分岐開閉器が接続されることを特徴とする請求項１から６のいずれか一項記載の分電盤。
【請求項８】
前記分岐ユニットは、ソケットベースと、給電ブロックを備え、前記ソケットベースには内部に前記分岐銅帯が設けられ、前記給電ブロックには内部に前記母線導体が接続されていることを特徴とする請求項７記載の分電盤。
【請求項９】
前記給電ブロックは、前記分岐開閉器の間の前記母線導体の配線箇所に設けられていることを特徴とする請求項８記載の分電盤。
【請求項１０】
前記ソケットベースは、前記分岐開閉器および／または前記給電ユニットの端子を挿入するための溝を有することを特徴とする請求項８または９記載の分電盤。
【請求項１１】
前記キャビネットは、前記キャビネットの開口部に設けられたドアを有し、前記ドアは外側から内側の状態が確認できるようにメッシュ状に形成されていることを特徴とする請求項１から１０のいずれか一項記載の分電盤。
【請求項１２】
前記キャビネットは、前記分電盤の電気部品を保護するための保護板を備え、前記保護板は前記分岐開閉器の列ごとに分割されていることを特徴とする請求項１から１１のいずれか一項記載の分電盤。
【発明の詳細な説明】
【技術分野】
【０００１】
本発明は、多数の分岐開閉器を内部に配置可能な分電盤に関するものである。
【背景技術】
【０００２】
従来３線式の分電盤は、外部電源に接続される主開閉器と、主開閉器の二次側に接続され分電盤の垂直方向に平行に伸張して配置される三相の母線バーＲ，Ｓ，Ｔと、母線バーＲ，Ｓ，Ｔを挟み対向した状態で配置される分岐開閉器から構成され、それらをキャビネット内に収納してテナントやビル等の適切な設置場所に配置されている。
【０００３】
特許文献１は、分電盤の主幹バー接続構造に関するものであり、主幹バー４、５、６の一端が主幹ブレーカ２の二次側端子８に接続する主幹ブレーカ接続部９を構成して３本の主幹バーのうちＲ相４、Ｔ相６の外側のものを帯状銅バーの幅広面に対して水平方向に曲げ加工を施し分岐バー接続部１０を延設すること、さらに主幹ブレーカ接続部９と分岐バー接続部１０とは一体に形成することにより充電部の幅が狭められ、分岐ブレーカの二次側スペースが広くとることができ結線作業がしやすくなること（その段落０００８，０００９，００１２）が記載されている。
【０００４】
また特許文献２は、分電盤に関するものであり、外部電線に接続される複数の導電バーを備え、導電バーに接続される分岐導体をねじ止めするためのねじ挿通孔が長手方向に沿って等間隔に設けられている。また幅寸法が異なる複数種類の配線用遮断器が一定の取付間隔で取り付けられるように構成することで、従来のように、使用される主開閉器の幅寸法に対応して導電バーにねじ挿通孔を設ける作業が不要となり、分電盤の製造工程の簡略化を図ることが可能となること（その段落００１０，００４０，００４５）が記載されている。
【０００５】
そして特許文献３は、分電盤に関するものであり、１接点ブレーカサイズのケース内に２接点を内蔵させた多数の２接点ブレーカであって、幹線バーとニュートラルバーの中心線上に接続孔が設けられ、その接続孔は２接点ブレーカの幅の中心線上に設けられており、１接点ブレーカに使用していたものと同じ幹線バーやニュートラルバーを使用して２接点ブレーカが使用できること（その段落０００６，０００７，００１１）が記載されている。
【先行技術文献】
【特許文献】
【０００６】
【特許文献１】特開２００２−２３３０１０号公報
【特許文献２】特開２０１５−１１９５９１号公報
【特許文献３】特開平０８−０８８９１２号公報
【発明の概要】
【発明が解決しようとする課題】
【０００７】
昨今、使用する電気機器数が増加したことや消費電力の高い機器が市場に出回り始めたことにともなって多数の分岐開閉器が必要となってきた。しかしながら、従来の配置構成である分岐開閉器を上下に整列させる配置方法（特許文献１，２，３，図１１）では、キャビネット内に収納できる分岐開閉器の数に限りがあり、必要数の分岐開閉器をひとつのキャビネット内に設置することが大変困難で、実際に分岐開閉器を増設する場合にはキャビネットを複数設置するかもしくはキャビネット自体のサイズを大型化する等の措置が必要となってしまう。
分電盤は分岐開閉器を介して電力系統（外部電源）から送られてくる電力を電気機器に分配する装置であるため、分岐開閉器には複数の配線が接続されている。例えば分岐開閉器の一次側に設けられた母線導体と接続するための分岐銅帯や分岐開閉器の二次側に接続された建物側および設備側に繋がる電気配線等であるが、キャビネット内に分岐開閉器を多数配置するためには分岐銅帯や接続線等の配線の位置やスペースおよび母線導体との接続状態を考慮することが大変重要である。
【０００８】
本願出願人は、分電盤で使用される電気部品のキャビネット内における最適な配置構成を鋭意検討した結果、従来平面上に配置されていた母線導体、分岐開閉器、分岐銅帯等の電気部品を奥行の空間を利用して配置することでキャビネット内の空間を有効活用することができること、さらに横一列に分岐開閉器を配置することおよび横一列に配列された分岐開閉器を垂直方向に並べて配置することにより、多数の分岐開閉器をキャビネット内に収納可能であるうえ、キャビネットのサイズが変わっても柔軟に分岐開閉器の数を変更可能であることを見出した。
【０００９】
そこで本発明は、母線導体の配線箇所を除いて水平方向一列に分岐開閉器を配列すること、そして水平方向一列に配列された分岐開閉器の列を垂直方向に所定間隔を空けて配列することにより多数の分岐開閉器をキャビネット内に収納可した分電盤を提供することを目的とする。
【課題を解決するための手段】
【００１０】
本発明は、主開閉器と、前記主開閉器の二次側に接続された母線導体と、複数の分岐開閉器と、これらを収納するキャビネットを備えた分電盤において、前記分岐開閉器は、前記母線導体の配線箇所を挟んで前記キャビネットに対して水平方向左右に複数配列されていることを特徴とする。
また本発明の分電盤は、水平方向左右に配列された前記分岐開閉器の列は前記キャビネットに対して垂直方向に所定間隔を空けて複数配列されていることを特徴とする。
ここで「水平方向」とは、キャビネットを基準として紙面左右方向（ＬＲ）である。
また「垂直方向」とは、水平方向に直交する方向であり、キャビネットを基準として紙面上下方向（ＵＤ）である。
そして「母線導体の配線箇所」とは、母線導体と分岐銅帯が接続される箇所であり、実施例においては給電ブロックが設けられる箇所である。
本発明によれば、母線導体の配線箇所を除いて水平方向一列に分岐開閉器を配列すること、そして水平方向一列に配列された分岐開閉器の列を垂直方向に所定間隔を空けて配列することにより、従来の配置方法に比べて多数の分岐開閉器をキャビネット内に収納可能となる。これは、分岐開閉器に接続される主な配線である分岐銅帯と建物側および設備側に繋がる電気配線を工夫して配置したことによるもので、分岐銅帯をキャビネットの奥行方向に分岐開閉器と積層して配置することによりキャビネットの平面上の空間を広く利用できるようにし、従来分岐銅帯が配置されていた空間に分岐開閉器を配置することが可能となる。
【００１１】
本発明の分電盤は、前記分岐開閉器の列と列の間に、前記分岐開閉器の二次側に接続された建物側および設備側に繋がる電気配線が配置されていることを特徴とする。
本発明によれば、分岐開閉器の列を所定間隔を空けて配列することにより、分岐開閉器の列と列の間に建物側等に繋がる電気配線を効率的に配置することができる。建物側および設備側に繋がる電気配線は、分岐開閉器ひとつに１本接続されるため、分岐開閉器が多くなるほど電気配線の本数が多くなりキャビネット内に配置することが大変困難となる。しかしながら、母線導体の配線箇所を挟んで水平方向左側の分岐開閉器の電気配線は分岐開閉器の列と列の間から左側を通りキャビネットの左端に配線し、水平方向右側の分岐開閉器の電気配線は分岐開閉器の列と列の間から右側を通りキャビネットの右端に配線することで、配線の経路が簡単でかつ配線長を短くすることができる。また、分岐ユニットの背面の空間に配線することも可能で、この場合も配線経路の単純化を図ることができる。
【００１２】
本発明の分電盤は、前記母線導体が可撓性を有する導体で形成されていることを特徴とする。
本発明によれば、母線導体が伸縮等の柔軟性に富んだ可撓性を有する導体で形成されているため、分電盤の使用方法や使用形態および使用する電気機器数の数や消費電力量によって母線導体の配線経路が変わる場合でも柔軟に対応することが可能となる。
【００１３】
本発明の分電盤は、前記分岐開閉器が前記母線導体の配線箇所を挟んで前記キャビネットに対して水平方向の一方側に４個、他方側に６個配置されていることを特徴とする。
また本発明の分電盤は、前記分岐開閉器が前記母線導体の配線箇所を挟んで前記キャビネットに対して水平方向の一方側に２個、他方側に８個配置されていることを特徴とする。
分岐開閉器の配置であるが、主開閉器がキャビネットの上部中心位置に配置され、主開閉器の二次側から３線の母線導体を垂直方向に配設するため、主開閉器の下方に母線導体の配線箇所があることが母線導体の配線経路を考慮すると好ましい。よって、分岐開閉器を母線導体の配線箇所を挟んでキャビネットに対して水平方向の一方側に２個または４個、他方側に６個または８個配置することが好ましい。水平方向の左側に２個または４個配置され、水平方向の右側に６個または８個配置されていてもよいし、水平方向の左側に６個または８個配置され、水平方向の右側に２個または８個配置されていてもよい。
【００１４】
本発明は、前記分電盤が、さらに内部に分岐銅帯を有する分岐ユニットを備え、前記キャビネットの奥行方向に前記分岐ユニットと前記分岐開閉器を積層して配置することで、前記母線導体と前記分岐開閉器が接続されることを特徴とする。
ここで「奥行方向」とは、キャビネットの前面からキャビネットの背面の方向であり、水平方向および垂直方向に直交する方向である。
本発明によれば、分岐銅帯を内部に有する分岐ユニットを形成し、分岐ユニットを分岐開閉器に積層することで、従来平面上に配置していた分岐銅帯を分岐開閉器と奥行方向に重ねて配置することが可能となり、キャビネット内の平面上の領域を広く使用することが可能となる。
【００１５】
本発明の分電盤は、前記分岐ユニットがソケットベースと、給電ブロックを備え、前記ソケットベースには内部に前記分岐銅帯が設けられ、前記給電ブロックには内部に前記母線導体が接続されていることを特徴とする。
また本発明の分電盤は、前記給電ブロックが前記分岐開閉器の間の前記母線導体の配線箇所に設けられていることを特徴とする。
そして本発明の分電盤は、前記ソケットベースが前記分岐開閉器および／または前記給電ユニットの端子を挿入するための溝を有することを特徴とする。
分岐ユニットは、ソケットベースと給電ブロックを備え、ソケットベースは分岐開閉器および給電ブロックをキャビネット内に固定する土台としての役割と、分岐銅帯としての役割をもつ。本発明によれば、従来分岐開閉器をキャビネット内に固定していた基板や分岐銅帯を配置していた空間を小さくすることができ、空間を有効活用することが可能となる。
また本発明によればソケットベースが分岐開閉器および給電ユニットの端子を挿入するための溝を有するため、母線導体と分岐銅帯の接続部材である給電ブロックや分岐開閉器を簡単にキャビネット内に固定することが可能である。さらに溝を左右方向に複数設けることで、母線導体の配線経路が変わる場合でも柔軟に給電ブロックの配置を変更することが可能であり、また使用する分岐開閉器の数が異なった場合でも簡単に分岐開閉器の数の増減や位置の変更に対応することが可能となる。
【００１６】
本発明の分電盤は、前記キャビネットが前記キャビネットの開口部に設けられたドアを有し、前記ドアは外側から内側の状態が確認できるようにメッシュ状に形成されていることを特徴とする。
本発明によれば、ドアが外側から内側の状態が確認できるようにメッシュ状に形成されているため、ドアを閉めた状態でも主開閉器や分岐開閉器のスイッチの状態等を簡単に確認することが可能となる。ドアは透明性のある材質で形成されていてもよいし複数のスリットが設けられていてもよい。
【００１７】
本発明の分電盤は、前記キャビネットが前記分電盤の電気部品を保護するための保護板を備え、前記保護板は前記分岐開閉器の列ごとに分割されていることを特徴とする。
本発明によれば、筐体の内側に着脱可能に取り付けられている保護板が設けられ保護板は分岐開閉器の列ごとに分割されて各々個別に着脱することが可能であるため、修理や点検を行う際に必要な分岐開閉器の保護板のみ取り外すことが可能で分岐開閉器の数が増えても安全に作業を行うことが可能となる。
【発明の効果】
【００１８】
本発明によれば、分岐銅帯と分岐開閉器および給電ブロックを積層して配置することで水平方向一列に分岐開閉器を配列することが可能で、さらに配列された分岐開閉器の列を垂直方向に所定間隔を空けて配列することで建物側および設備側に繋がる電気配線を効率的に配置し、キャビネット内に多数の分岐開閉器を配置することが可能となる。
また本発明によれば、分岐開閉器および給電ブロックを簡単に固定できかつ内部に分岐銅帯を有する部材（ソケットベース）を用いることや可撓性のある母線導体を使用することで、キャビネット内の空間を有効活用することが可能で、さらに分岐開閉器の数の増減や母線導体の配線経路の変更等に柔軟に対応することが可能となる。
【図面の簡単な説明】
【００１９】
【図１】本発明の第１の実施形態の分電盤１０（ドア１１を開けた状態）を示す正面図である。
【図２】上記実施形態の分電盤１０（ドア１１を閉めた状態）を示す正面図である。
【図３】上記実施形態の分電盤１０（ドア１１を閉めた状態）を示す側面図である。
【図４】上記実施形態の分電盤１０（保護板１２を外した状態）を示す正面概略図である。
【図５】上記実施形態の分電盤１０のＡ−Ａ断面図である。
【図６】上記実施形態の分電盤１０のＢ−Ｂ断面図である。
【図７】上記実施形態の分電盤１０のＣ−Ｃ断面図である。
【図８】上記実施形態の分電盤１０のその他の配置構成（ドア１１を開けた状態）を示す正面図である。
【図９】上記実施形態の分電盤１０のその他の配置構成（保護板１２を外した状態）を示す正面概略図である。
【図１０】本発明の分電盤１０に使用される母線導体４を拡大した写真である。
【図１１】従来の分電盤５００の配置構成を示すキャビネット内の写真である。
【発明を実施するための形態】
【００２０】
本発明を適用した具体的な実施の形態について、図面を参照しながら以下、詳細に説明する。
【００２１】
（第１の実施の形態）
図１は、本発明の第１の実施形態の分電盤１０（ドア１１を開けた状態）を示す正面図であり、図２は、上記実施形態の分電盤１０（ドア１１を閉めた状態）を示す正面図である。図３は、上記実施形態の分電盤１０（ドア１１を閉めた状態）を示す側面図であり、図４は、上記実施形態の分電盤１０（保護板１２を外した状態）を示す正面概略図である。
本発明の分電盤１０は、テナントやビル等に配置され電力系統（外部電源）から送られてくる電力を分岐開閉器３を介して電気機器に分配する装置であり、キャビネット１と、主開閉器２と、複数の分岐開閉器３，３・・・（ブレーカ）と、主開閉器２の二次側に接続された三相の母線導体４（４Ｒ，４Ｓ，４Ｔ）と、母線導体４と分岐開閉器３を接続するための分岐ユニット５（図示なし）を備える。
【００２２】
キャビネット１は、分電盤１０の電気部品を収納するための外枠であり、前面に開口部を有する矩形状の筐体１３と、開口部に設けられキャビネット１を開閉可能とするためのドア１１と、ドア１１の内側に設けられ分電盤１０の電気部品を保護するための保護板１２を有する。
ドア１１は、筐体１３の前面を覆うように開閉可能に設けられた板状部材であり、外側から内側の電気部品の状態が確認できるようにメッシュ状に形成されている。本実施形態においてドア１１はメッシュ状に形成されていたが、ドア１１を閉めた状態でも主開閉器２や分岐開閉器３のスイッチ２１，３１の状態等を確認できればよく、ドア１１は透明性のある材質で形成されていてもよいし複数のスリットが設けられていてもよい。
保護板１２は、キャビネット１の中蓋であり、複数に分割されて筐体１３の内側に着脱可能に取り付けられている。保護板１２は、主開閉器２や分岐開閉器３のスイッチ２１，３１を操作可能とするための通孔を有する（図６）。本実施形態においては、保護板１２は分岐開閉器３の列ごとに分割されており、各々個別に着脱することが可能である。保護板１２は設けられていなくてもよい。
【００２３】
主開閉器２は、電力系統（外部電源）からの電力を一括して遮断する配線用遮断器であり、キャビネット１内の上部中央位置に配置されている。主開閉器２の一次側は電力系統（外部電源）に接続され、二次側は３本の母線導体４（４Ｒ，４Ｓ，４Ｔ）に接続されている。
【００２４】
図１０は、本発明の分電盤１０に使用される母線導体４を拡大した写真である。
母線導体４は、主開閉器２の二次側から下方に伸張した３本の導体４Ｒ，４Ｓ，４Ｔであり、主開閉器２から垂直方向に間隔を空けて略平行に並ぶようにキャビネット１内に伸張し、一端は主開閉器２の二次側に取り付けられ、他端は分岐ユニット５（図示なし）の給電ブロック５２に取り付けられている。母線導体４は、主開閉器２と分岐ユニット５（図示なし）を接続するために曲げ、伸縮等の柔軟性に富んだ可撓性を有する導体で形成されており（図１０）、具体的には高純度の電気銅を絶縁材で被覆した銅帯や電線、丸撚り線を使用した接続用導体等、種々のものを使用することが可能である。
【００２５】
分岐開閉器（ブレーカ）３は、母線導体４から分岐して接続された開閉器であり、正面に電気回路を遮断するスイッチ３１を備え、背面に分岐ユニット５（図示なし）と電気的に接続するための一次側端子３２，３２・・・を備える。また上部には建物側および設備側に繋がる二次側の電気配線が設けられている。
分岐開閉器３は、水平方向ＬＲ（横方向）に１０個の分岐開閉器３を配列して分岐開閉器列３ａ，３ｂ，・・・，３ｆとし、分岐開閉器列３ａ，３ｂ，・・・，３ｆを垂直方向ＵＤに６列配置することで、合計６０個の分岐開閉器３をキャビネット１内に設けている。
【００２６】
図５は、上記実施形態の分電盤１０のＡ−Ａ断面図であり、図６は、上記実施形態の分電盤１０のＢ−Ｂ断面図である。図７は、上記実施形態の分電盤１０のＣ−Ｃ断面図である。
分岐ユニット５（図示なし）は、母線導体４と分岐開閉器３を平面上の領域を最小限に使用して接続する部材であり、ソケットベース５１と、給電ブロック５２を有する。
【００２７】
ソケットベース５１は、分岐開閉器３をキャビネット１内に固定するための長尺状の土台であり、前面には分岐開閉器３の一次側端子３２，３２・・・および給電ブロック５２の二次側端子５２１，５２１，・・・（図示なし）を挿入するための複数の溝５１１，５１１・・・が備えられ、内部にはソケットベース５１の長手方向に伸張する複数の分岐銅帯５１２，５１２・・・が設けられている。
分岐開閉器列３ａ，３ｂ，・・・，３ｆごとに１つのソケットベース５１a，５１ｂ，・・・，５１ｆが使用され、ソケットベース５１の長手方向を床と略平行となるように配置し、所定間隔を空けて垂直方向ＵＤに６列配列した状態でキャビネット１内に収納されている。
ソケットベース５１の溝５１１に分岐開閉器３の一次側端子３２を挿入した場合、分岐開閉器３の一次側端子３２とソケットベースの分岐銅帯５１２が電気的に連通するように形成されている。本実施形態においては、分岐銅帯５１２はソケットベース内に３本設けられており、１本の分岐銅帯５１２に対して複数の分岐開閉器３が接続される構造となっている。
【００２８】
給電ブロック５２は、母線導体４からの電力をソケットベース５１の分岐銅帯５１２，５１２・・・へ伝達するための部材であり、ソケットベース５１a，５１ｂ，・・・，５１ｆごとにひとつの給電ブロック５２a，５２ｂ，・・・，５２ｆが設けられる。給電ブロック５２の背面には二次側端子５２１，５２１・・・（図示なし）が設けられ、分岐開閉器３と同様にソケットベース５１の前面に取り付けられる。
主開閉器２の二次側からのびる母線導体４Ｒ，４Ｓ，４Ｔの一端が給電ブロック５２の上部から内部に挿入されてねじ止め等によって接続され、母線導体４Ｒ，４Ｓ，４Ｔと二次側端子５２１，５２１・・・（図示なし）が電気的に接続される。さらに上部に配置された給電ブロック５２から下部に配置された給電ブロック５２へ母線導体４Ｒ，４Ｓ，４Ｔの電力を送るために、給電ブロック５２の内部で母線導体４Ｒ，４Ｓ，４Ｔが連結され、給電ブロック５２の内部から下方に伸張されている。
ソケットベース５１の溝５１１に給電ブロック５２の二次側端子５２１（図示なし）を挿入した場合、給電ブロック５２の二次側端子５２１（図示なし）とソケットベースの分岐銅帯５１２が電気的に連通するように形成されている。
【００２９】
（配置構成）
分電盤１０の電気部品の配置構成であるが、キャビネット１内の上部中心位置に主開閉器２を配置し、主開閉器２の下部から母線導体４Ｒ，４Ｓ，４Ｔを下方に伸張して配置する。キャビネット１内の主開閉器２の下側にソケットベース５１a，５１ｂ，・・・，５１ｆを長手方向が床と略平行となるように配置し、垂直方向に所定間隔を空けて配列する。ソケットベース５１の前面に分岐開閉器３を横一列に配置し、給電ブロック５２を取り付ける。分岐開閉器３の上部に設けられた建物側および設備側に繋がる二次側の電気配線をソケットベース５１とソケットベース５１の間に配線する。
ソケットベース５１上での分岐開閉器３と給電ブロック５２の配置であるが、給電ブロック５２の内部に母線導体４Ｒ，４Ｓ，４Ｔを接続する必要があるため、母線導体４Ｒ，４Ｓ，４Ｔの配線経路を考えて主開閉器３の下方周辺に給電ブロック５２を取り付けることが好ましい。本実施形態においては、給電ブロック５２を挟んで紙面上左側に分岐開閉器３を４個、紙面上右側に分岐開閉器３を６個設けている。
また給電ブロック５は、分岐開閉器３と分岐開閉器３の間に配置することが好ましい。具体的に説明すると、給電ブロック５をソケットベース５１の端部に配置した場合、１本の分岐銅帯５１２に対して複数の分岐開閉器３が接続されることから、給電ソケット５（母線導体４と分岐銅帯５１２の接続箇所）から複数の分岐開閉器３へ一方向に大量の電流が流れ、ソケットベース５１自体が発熱する恐れがある。このような場合、配置可能な分岐開閉器３の個数を制限する等の対策が必要となる。したがって、給電ソケット５を分岐開閉器３と分岐開閉器３の間に配置することで、母線導体４からの電流を二方向に分散して流すことが可能となるため、より多くの分岐開閉器３を配置することや高い電流値を持った分岐開閉器３を配置することが可能となる。
【００３０】
このように従来平面上に配置していた分岐銅帯５１２を分岐開閉器３の土台に組み込むことでユニット化し分岐銅帯５１２と分岐開閉器３を積層して配置することが可能であるため、従来分岐銅帯５１２を配置していたキャビネット１内の平面領域が利用可能となり、多数の分岐開閉器３をキャビネット１内に収納することができる。
また、キャビネット１内で長尺状のソケットベース５１を床と平行に配置し、ソケットベース５１の前面に横一列（横方向ＬＲに一列に）に分岐開閉器３，３・・・を配列することおよび分岐開閉器列３ａ，３ｂ，・・・，３ｆを垂直方向に並べて配置することで、従来の配置方法と比較して多数の分岐開閉器３をキャビネット１内に収納することができる。
さらに、本発明の分電盤の配置方法によれば、異なるサイズのキャビネット１を使用しても柔軟に分岐開閉器３の数を変更してキャビネット１内に収納することが可能となる。具体的には、幅が広い（水平方向ＬＲにサイズが大きい）キャビネット１を使用した場合には、ソケットベース５１を水平方向ＬＲに長く形成することで、水平方向ＬＲに配置する分岐開閉器３，３・・・の数を増やして配置することが可能であるし、高さが高い（垂直方向ＵＤにサイズが大きい）キャビネット１を使用した場合には配置する分岐開閉器列３ａ，３ｂ，・・を増やすことにより、簡単に分岐開閉器３の数を増やすことが可能である。
【００３１】
図８は、上記実施形態の分電盤１０のその他の配置構成（ドア１１を開けた状態）を示す正面図であり、図９は、上記実施形態の分電盤１０のその他の配置構成（保護板１２を外した状態）を示す正面概略図である。
ソケットベース５１上での分岐開閉器３と給電ブロック５２の配置であるが、分電盤の使用方法によって適宜変更可能である。例えば、給電ブロック５２を挟んで紙面上左側に分岐開閉器３を２個、紙面上右側に分岐開閉器３を８個設けてもよい。さらに、分岐開閉器列３ａ，３ｂ・・・，３ｆに使用される分岐開閉器３の数は１０個以上でもよいし１０個未満でもよく、分岐開閉器列３ａ，３ｂ・・・，３ｆの列数も６列以上でもよいし６列未満でもよい。分岐開閉器３の数や分岐開閉器列３ａ，３ｂ・・・，３ｆの列数は使用する電気機器数の数や消費電力量によって適宜選択可能である。
【符号の説明】
【００３２】
１０                                分電盤、
１                                  キャビネット、
１１                                ドア、
１２                                保護板、
１３                                筐体、
２                                  主開閉器、
２１                                主開閉器のスイッチ、
３                                  分岐開閉器、
３ａ，３ｂ，３ｃ，３ｄ，３ｅ，３ｆ  分岐開閉器列、
３１                                分岐開閉器のスイッチ、
３２                                分岐開閉器の一次側端子、
４，４Ｒ，４Ｓ，４Ｔ                母線導体、
５                                  分岐ユニット、
５１，５１ａ，５１ｂ，５１ｃ，５１ｄ，５１ｅ，５１ｆ  ソケットベース、
５１１                              溝、
５１２                              分岐銅帯
５２，５２ａ，５２ｂ，５２ｃ，５２ｄ，５２ｅ，５２ｆ  給電ブロック、
５２１                              給電ブロックの二次側端子、
５００                              従来の分電盤、
ＬＲ                                水平方向、
ＵＤ                                垂直方向
【図１】
2019092350.tif 000003
【図２】
2019092350.tif 000004
【図３】
2019092350.tif 000005
【図４】
2019092350.tif 000006
【図５】
2019092350.tif 000007
【図６】
2019092350.tif 000008
【図７】
2019092350.tif 000009
【図８】
2019092350.tif 000010
【図９】
2019092350.tif 000011
【図１０】
2019092350.tif 000012
【図１１】
2019092350.tif 000013